(57)【要約】【課題】ディスプレイとレンズシートと拡散板とを用いる立体映像表示装置において、画素同士の色の混ざり合いによって、再生立体映像がにじむという現象を生じない立体映像表示装置【解決手段】ディスプレイ１０６とレンズシート１０１との間に設置する拡散板１０２に、各画素間のブラックマトリクス１０５に沿った切込み１０３を入れる。【選択図】図１
2006215337.tif 000002
【特許請求の範囲】
【請求項１】
各画素間及び各画素を形成する赤色、緑色、青色の各表示部間に非発光領域を持つディスプレイと、多数のレンズを並べたレンズシートと、前記ディスプレイと前記レンズシートとの間に挟んだ拡散板とを備える立体映像表示装置において、
前記拡散板に、各画素間の非発光領域に沿った切込みを、ディスプレイ側から入れることを特徴とする立体映像表示装置
【請求項２】
請求項１に記載の立体映像表示装置において、前記拡散板に入れる切込みを、前記拡散板内部から切込みの斜辺に入射する各画素からの光線を全反射するような角度の切込みとすることを特徴とする立体映像表示装置
【請求項３】
請求項１に記載の立体映像表示装置において、前記拡散板に入れる切込みは、二等辺三角形状であることを特徴とする立体映像表示装置
【請求項４】
請求項１に記載の立体映像表示装置において、前記拡散板に入れる切込みは、長方形状であることを特徴とする立体映像表示装置
【請求項５】
請求項１に記載の立体映像表示装置において、前記非発光領域に沿った切込みの幅が、非発光領域の幅であることを特徴とする立体映像表示装置
【請求項６】
請求項１に記載の立体映像表示装置において、前記非発光領域に沿った切込みの幅が、非発光領域の幅よりも小さいことを特徴とする立体映像表示装置
【請求項７】
請求項１に記載の立体映像表示装置において、前記拡散板に入れた切込みに遮光層を形成することを特徴とする立体映像表示装置
【請求項８】
請求項７に記載の立体映像表示装置において、前記拡散板に入れた切込みに遮光層を充填することを特徴とする立体映像表示装置
【請求項９】
請求項７に記載の立体映像表示装置において、前記拡散板に入れた切込みの内壁に遮光層を薄く形成することを特徴とする立体映像表示装置
【請求項１０】
請求項７に記載の立体映像表示装置において、前記拡散板に入れた切込みの内壁の下部以外に遮光層を薄く形成することを特徴とする立体映像表示装置
【請求項１１】
請求項７に記載の立体映像表示装置において、前記拡散板に入れた切込みの幅が、非発光領域の幅よりも小さく、形が長方形状の切込みに、遮光層を充填することを特徴とする立体映像表示装置
【請求項１２】
請求項１に記載の立体映像表示装置において、前記拡散板に入れた切込みに反射層を形成することを特徴とする立体映像表示装置
【請求項１３】
請求項１２に記載の立体映像表示装置において、前記拡散板に入れた切込みに反射層を充填することを特徴とする立体映像表示装置
【請求項１４】
請求項１２に記載の立体映像表示装置において、前記拡散板に入れた切込みの内壁に反射層を薄く形成し、さらに、遮光層を薄く形成することを特徴とする立体映像表示装置
【請求項１５】
請求項１２に記載の立体映像表示装置において、前記拡散板に入れた切込みの内壁の下部以外に反射層を薄く形成し、さらに、遮光層を薄く形成することを特徴とする立体映像表示装置
【請求項１６】
請求項１２に記載の立体映像表示装置において、前記拡散板に入れた切込みの幅が、非発光領域の幅よりも小さく、形が長方形状の切込みに、反射層を充填することを特徴とする立体映像表示装置
【発明の詳細な説明】
【技術分野】
【０００１】
本発明は、立体映像表示装置に関し、特に裸眼で立体映像を観察することができる立体映像表示装置に関する。
【背景技術】
【０００２】
裸眼で観察できる立体映像を表示する方法として、レンチキュラ方式や、パララックスバリア方式や、インテグラルフォトグラフィ方式や、ホログラフィ方式などが知られている。図１４（ａ）は、従来の立体映像表示装置全体を表す概略図であり、特に、図１４（ｂ）、図１４（ｃ）はインテグラルフォトグラフィ方式を説明する概略図である。
【０００３】
図１４に示すように、ディスプレイ１０６の前面に凸レンズをアレイ状に配置したレンズシート１０１を設置する。これらの図を用いて、裸眼で観察できる立体映像を表示する方法の１つであるインテグラルフォトグラフィ方式について説明する。図１４（ｂ）は立体的な位置関係を示しており、そのうちの一断面が図１４（ｃ）である。
【０００４】
ディスプレイ１０６の画素が、レンズに対して非常に小さいとしたとき、ディスプレイ１０６上で、図１４（ｂ）（ｃ）に示す白丸１５０２の位置の画素のみをある色と輝度をもって表示したとき、レンズシート１０１の効果により、白丸１５０２の位置に光が集まり、そこから広がるような光線となる。
【０００５】
これを観察者１５０１が、図１４（ｃ）に示す視野角範囲１５０３内において観察すると、あたかも、白丸１５０２の位置に点光源、すなわち、物体が存在するように知覚させることができるようになる。なお、このレンズの代わりにピンホールを用いることも可能である。
【０００６】
また、凸レンズの代わりに、かまぼこ状のレンチキュラレンズを用いたレンチキュラレンズシートをディスプレイ１０６の前に設置し、ディスプレイ１０６に、レンチキュラレンズシートの長手方向に沿った細長い右目用の画像と左目用の画像を交互に並べた画像を表示することで、両眼視差を用いて横方向だけ立体感を実現するレンチキュラ方式も存在する。
【０００７】
これらの方式において、ディスプレイ１０６に表示される画像は、図１４（ａ）に示す立体視用画像生成装置１５０４によって生成される。立体視用画像生成装置１５０４としては、コンピュータグラフィックスを生成するＰＣや、多眼式カメラや、レンズシートと組み合わせた一眼式カメラなどが挙げられる。
【０００８】
下記特許文献１ないし４には、レンチキュラ方式に関する技術が開示されている。
【０００９】
下記特許文献１には、ディスプレイの画素の配置を工夫することで画素間の非発光領域（ブラックマトリクス）を目立たなくする技術が開示されている。
【００１０】
下記特許文献２には、各画素をレンズで拡大することで画素間のブラックマトリクスを目立たなくする技術が開示されている。
【００１１】
下記特許文献３には、図１５に示すように、ディスプレイ１０６とレンチキュラレンズシート１０１との間に拡散板１０２を設けることで画素間のブラックマトリクスを目立たなくする技術が開示されている。
【００１２】
下記特許文献４には、レンチキュラレンズシートの各レンチキュラレンズ間に遮光膜を挿入して、画素を透過した光がその画素と正しく対応付けされたレンチキュラレンズではないレンチキュラレンズを通ることで生じる不自然な立体視を避ける技術が開示されている。
【００１３】
【特許文献１】特許第３１０１５２１号公報
【特許文献２】特許第２５４０９９９号公報
【特許文献３】特許第２７７７２４１号公報
【特許文献４】特開平６−２８９３２０号公報
【発明の開示】
【発明が解決しようとする課題】
【００１４】
上記特許文献１に記載の技術は、ディスプレイの画素の配置を変更するものであり、汎用のディスプレイを使用することができないために実施のコストが高くなるという課題があった。
【００１５】
上記特許文献２に記載の技術は、画素を拡大するレンズの数が多く必要なために実施のコストが高くなるという課題があった。
【００１６】
上記特許文献３に記載の技術は、各画素の色が隣の画素の色と混ざることで再生立体映像がにじんでしまうという課題があった。
【００１７】
上記特許文献４に記載の技術は、レンズによって画素間のブラックマトリクスが拡大されて目立ったり、各画素の赤、緑、青の各表示部が拡大されて想定した色を観察者に見せることができないという色分離を生じたりする課題があった。
【００１８】
図１６は、従来の立体映像表示装置の映像表示部を表す概略図である。同図において、映像表示部は、レンズシート１０１とディスプレイ１０６の間に拡散板１０２を設置したものである。
【００１９】
拡散板１０２を用いる目的は、例えば、画素１０７ａの赤色表示部１０７Ｒａと、緑色表示部１０７Ｇａと、青色表示部１０７Ｂａとが表示する３原色を、レンズシート１０１に光線が到達する前に混ぜ合わせることによって色分離を避けることである。
【００２０】
しかし、従来の技術においては、例えば、画素１０７ａの青色表示部１０７Ｂａと、画素１０７ｂの赤色表示部１０７Ｒｂなど、隣接する画素の３原色同士も混ざり合ってしまい、再生立体映像の色がにじんでしまうという課題がある。よって、隣接する画素の３原色同士の混ざり合いを解消する構成が必要となる。
【００２１】
そこで、本発明の目的は、簡単な構成によって、従来のように、レンズによってブラックマトリクスや色分離が目立つという現象を生じず、また、画素同士の色の混ざり合いによって再生立体映像が、にじむという現象を生じない立体映像表示装置を提供することである。
【課題を解決するための手段】
【００２２】
本発明では、従来の図１５，１６に示す立体映像表示装置において、ディスプレイ１０６とレンズシート１０１との間に挟み込む拡散板１０２に、画素間のブラックマトリクスに沿った切込みを入れる構成とした。
【００２３】
また、各画素の拡散板１０２の内部から切込みの斜辺に入射する光を全反射するような角度で切込みを入れる構成とした。さらに、切込みに遮光層を形成する構成とした。また、切込みに反射層を形成する構成とした。
【発明の効果】
【００２４】
以上、本発明によれば、各画素の３原色を拡散させながらも画素同士を分離するので、レンズによってブラックマトリクスや色分離が目立つという現象を生じず、また、画素同士の色の混ざり合いによって再生立体映像がにじむという現象を生じず、高画質な立体映像を表示することができる。
【発明を実施するための最良の形態】
【００２５】
以下、図面を用いて、本発明の実施例を説明する。
【実施例１】
【００２６】
以下、図１ないし図７を用いて、本発明の実施例１について説明する。本実施例は、ディスプレイ側から拡散板へ入れる切込みの幅が、ブラックマトリクスの幅と同じときに、切込みの角度を、拡散板内部から切込みの斜辺に入射する光線を全反射する角度とした例である。
【００２７】
なお、全ての実施例において、切込みの先端部は、尖ったものではなく、幅をもっていたり、丸みを帯びていたりしてもよい。また、全ての実施例の切込みは、切込みからディスプレイに下ろした垂線が、画素間のブラックマトリクスの中央を通る二等辺三角形状のものであるが、その条件が厳密に満たされる必要はない。
【００２８】
図１は、本発明の実施例１における立体映像表示装置の映像表示部を表す概略図である。図１において、前記映像表示部は、レンズシート１０１とディスプレイ１０６との間に拡散板１０２を設置したものである。
【００２９】
ディスプレイ１０６は、画素１０７ａ、１０７ｂ、１０７ｃなど複数の画素を敷き詰めたものである。画素１０７ａは、赤色表示部１０４Ｒａと、緑色表示部１０４Ｇａと、青色表示部１０４Ｂａと、各表示部の間の非表示部であるブラックマトリクス１０５からなる。
【００３０】
拡散板１０２は、各画素間のブラックマトリクス１０５ごとにブラックマトリクス１０５の幅と同じ幅で、ディスプレイ１０６側から入れられた切込み１０３をもち、各切込み１０３の切込み角度は、各画素の拡散板内部から切込み１０３の斜辺に入射する光を全反射するような角度となっている。
【００３１】
図２は、本発明の各実施例で用いるディスプレイの画素やブラックマトリクスの配置を説明する平面図である。各３原色表示部Ｒ，Ｇ，Ｂは、等間隔に並び、それぞれの間に非表示部であるブラックマトリクス１０５が存在する。
【００３２】
各３原色表示部Ｒ，Ｇ，Ｂの短辺の長さをｐ１、長辺の長さをｐ２とする。各３原色表示部Ｒ，Ｇ，Ｂの短辺方向のブラックマトリクス１０５の幅をｄ１、長辺方向のブラックマトリクス１０５の幅をｄ２とする。
【００３３】
本発明の各実施例では、ｐ１＝３５．５μｍ、ｐ２＝１４３μｍ、ｄ１＝２８μｍ、ｄ２＝４７．５μｍとしている。図１は、図２に示す一点鎖線Ｘ−Ｘ’での断面図である。
【００３４】
図３は、本発明の各実施例における拡散板内部を通る光線を説明する概略図である。拡散板１０２の内部で光線５０１、５０２は、拡散方向５０３へ拡散されるが、本発明において扱う光線の方向は、拡散性のない媒質内部を通る各光線５０１、５０２の方向とする。くもりガラスなどの一般的な拡散板においては、各光線５０１、５０２の方向が、最も光の強さが強い方向であり、本発明の各実施例においてもそのような拡散板を用いることとする。
【００３５】
図１、図４、図５を用いて、本実施例における切込み１０３の形状について、詳しく説明する。図４は、本発明の各実施例で用いる角度や長さを説明する概略図である。
【００３６】
図４において、ディスプレイ１０６との角度θで出てくる光線３０８は、角度φ、高さｈ、幅ｄである切込み１０３の斜面に入射角θｉで入射し、入射角と同じ大きさの反射角θｉで反射される。
【００３７】
また、本発明の各実施例では、拡散板１０２の厚さはＨ＝１００μｍとし、屈折率はｎ＝１．７とする。屈折率ｎの物体から屈折率１の空気中へと光線が出て行こうとするとき、その光線が物体と空気との境界で全反射されるような入射角θｉは、次式（１）で与えられる臨界角θM以上である必要がある。本発明の各実施例ではθM≒３６．０３°となる。
【数１】
2006215337.tif 000003
【００３８】
図５は、本発明の各実施例で用いるディスプレイの視野角を説明する概略図である。同図において、観測者１５０１に対するディスプレイ１０６のディスプレイ視野角がθDPであるとき、ディスプレイ１０６からの光線４０１は、ディスプレイ１０６と角度θ0以上で出てくる。θ0は次式（２）で与えられる。
【数２】
2006215337.tif 000004
【００３９】
本発明の各実施例では、ディスプレイ視野角θDP＝１４０°とし、したがってθ0＝２０°となる。
【００４０】
図１において、ディスプレイ１０６との角度θ0で出てくる光線１０８が全反射されるような角度φで切込み１０３を拡散板１０２に入れれば、ディスプレイ１０６から切込み１０３に入射する光線は全て全反射されることになる。そのような角度φは、次式（３）を満たす必要がある。
【数３】
2006215337.tif 000005
【００４１】
また、このような角度φをもつ切込み１０３の高さｈは、次式（４）で与えられる。
【数４】
2006215337.tif 000006
【００４２】
φ＞３２．０６°であり、例えば、φ＝３２．１°とするとき、本実施例ではｄ＝ｄ１＝２８μｍゆえ、ｈ＝４８．６６μｍとなる。
【００４３】
図６は、本実施例における赤色表示部１０４Ｒａの側から見た立体映像表示装置の映像表示部を表す概略図であって、図２に示す一点鎖線Ｙ−Ｙ’での断面図である。
【００４４】
図６において、切込み７０３の斜辺に入射する光線を全て全反射するための切込み７０３の角度φ’は、切込み１０３に対する場合と同様にφ’＞３２．０６°を満たせばよい。
【００４５】
前述した式は同様に成り立つため、切込み７０３の幅ｄ’＝ｄ２＝４７．５μｍゆえ、φ’＝３２．１°とするとき、切込み７０３の高さｈ’＝８２．５５μｍとなる。
【００４６】
図７は、本実施例における拡散板の切込み同士の関係を表す平面図である。各切込みは各画素からその周りの切込みの斜辺に入射する光線を全て全反射するので、画素同士の色の混ざり合いを軽減し、再生立体映像の画質を改善することができる。
【００４７】
以下、実施例１の変形例を図８ないし図１１を用いて説明する。
【００４８】
〔変形例１〕
図８に、切込みの高さを大きくし、切込みの斜辺に入射する光線を増やす変形例１を示す。本変形例は、切込みの高さｈを優先的に設定する場合の効果を説明する例である。本変形例以降、図２に示す一点鎖線Ｘ−Ｘ’での断面図に対する例のみを示すが、図６に示すように、図２に示す一点鎖線Ｙ−Ｙ’での断面図に対する場合も同様に考えられることは明らかである。
【００４９】
図８は、本変形例１において、拡散板の切込みの幅が、ブラックマトリクスの幅である場合の立体映像表示装置の映像表示部を表す概略図である。ここでは切込みの高さｈ＝８０μｍ、切込みの幅ｄ＝ｄ１＝２８μｍとしている。ｈとｄが与えられたとき、切込みの角度φは、次式（５）で与えられる。
【数５】
2006215337.tif 000007
【００５０】
図８において、切込み９０３の角度φ＝１９．８５°となる。このとき、ディスプレイ１０６から角度θ0＝２０°で出てくる光線９０８は、切込み９０３の斜辺では反射だけではなく、屈折透過もする。
【００５１】
また、切込み９０３の斜辺で全反射する光線９０９とディスプレイ１０６のなす角度θ1は、次式（６）を満たす必要がある。
【数６】
2006215337.tif 000008
【００５２】
これより、θ1＞２６．１１°を満たす光線は、全て切込み９０３の斜辺に入射すると全反射される。
【００５３】
〔変形例２〕
図９は、変形例２における拡散板の切込みの幅がブラックマトリクスの幅よりも小さい場合の立体映像表示装置の映像表示部を表す概略図である。
【００５４】
ここでは、切込みの高さｈ＝８０μｍ、切込みの幅ｄ＝１８μｍ＜ｄ１としている。図９において、切込み１００３の角度φ＝１２．８４°となり、切込み１００３の斜辺で全反射する光線１００９とディスプレイ１０６のなす角度θ1はθ1＞２９．６１°を満たす必要がある。
【００５５】
本変形例においては、切込みの高さを大きくして切込みの斜辺に入射する光線を増やすことで画素同士の色の混ざり合いを軽減し、再生立体映像の画質を改善することができる。また、切込みの幅をブラックマトリクスの幅より小さくしても改善効果は得られるため、切込みを入れる精度は厳密である必要はない。
【００５６】
〔変形例３〕
図１０を用いて変形例３について説明する。本変形例は、変形例１と同様に、切込みの高さを大きくし、切込みの斜辺に入射する光線を増やし、それに加えて切込みの角度を、拡散板内部から切込みの斜辺に入射する光線を全反射する角度とした。
【００５７】
本変形例は、切込みの高さｈと切込みの角度φを優先的に設定する場合の効果を説明する例である。
【００５８】
図１０は、本変形例における立体映像表示装置の映像表示部を表す概略図である。切込み１１０３ａは高さｈ＝８０μｍ、切込み１１０３ａの角度φ＝３２．１°であり、ディスプレイ１０６から出て拡散板１０２内部から切込み１１０３ａの斜面に入射する光線は全て全反射される。ここで、ｈとφが与えられたとき、切込みの幅ｄは、次式（７）で与えられる。
【数７】
2006215337.tif 000009
【００５９】
図１０において、切込み１１０３ａの幅ｄ＝４６．０３μｍ＞ｄ１となる。このとき、赤色表示部１０４Ｒｂと青色表示部１０４Ｂａの一部が、切込み１１０３ａの内部に出てくる配置となるため、赤色表示部１０４Ｒｂから出て切込み１１０３aの内部から切込み１１０３ａの斜辺に入射する光線１１０９と、青色表示部１０４Ｂａから出て切込み１１０３aの内部から切込み１１０３ａの斜辺に入射する光線１１０７が存在し、それらは隣の切込み１１０３ｂの斜辺に入射すると反射及び屈折透過する。
【００６０】
本変形例においては、切込みの高さを大きくして切込みの斜辺に入射する光線を増やし、さらに、切込みの角度を、拡散板内部から切込みの斜辺に入射する光線を（切込み内部の表示部から出てくる光線を除いて）全て全反射する角度にすることで、画素同士の色の混ざり合いを軽減し、再生立体映像の画質を改善することができる。
【００６１】
また、変形例１で述べたことに加えて、切込みの幅をブラックマトリクスの幅より大きくしても改善効果は得られるため、切込みを入れる精度は厳密である必要はない。
【００６２】
〔変形例４〕
図１１を用いて変形例４について説明する。本変形例は、変形例１と同様に切込みの高さを大きくし、切込みの斜辺に入射する光線を増やし、それに加えて切込みの角度を、拡散板内部から切込みの斜辺に入射する光線を全反射するだけでなく、切込み内部の表示部から切込みの斜辺に入射して屈折透過し、隣の切込みの斜辺に入射する光線も全反射する角度とした例である。
【００６３】
図１１は、本変形例における立体映像表示装置の映像表示部を表す概略図である。切込み１２０３ａは高さｈ＝８０μｍである。
【００６４】
赤色表示部１０４Ｒｂからディスプレイ１０６となす角度θ0で出てきて切込み１２０３ａの斜辺で屈折透過する光線１２０９を、隣の切込み１２０３ｂの斜辺で全反射するためには、切込みの角度φは、次式（８）を満たす必要がある。
【数８】
2006215337.tif 000010
【００６５】
式（８）から、φ＞３４．３７°であり、例えば、φ＝３４．３８°とするとき、本変形例では、ｄ＝４９．５μｍ＞ｄ１となる。
【００６６】
本変形例においては、切込みの高さを大きくして切込みの斜辺に入射する光線を増やし、さらに、切込みの角度を、拡散板内部から切込みの斜辺に入射する光線を、切込み内部の表示部から出てきて一回屈折透過した光線も含めて（切込み内部の表示部から出てきて切込みの斜辺で反射した光線は光の強さが弱いので無視して）全て全反射する角度にすることで、画素同士の色の混ざり合いを軽減し、再生立体映像の画質を改善することができる。
【実施例２】
【００６７】
以下、図１２を用いて、本発明の実施例２について説明する。本実施例は、切込みに光を吸収する遮光層を形成する例である。
【００６８】
図１２は、本実施例における立体映像表示装置の映像表示部を表す概略図である。図１２（ａ）は、変形例３と同じ形の切込み１３０３ａに遮光層１３０８ａを充填した例である。
【００６９】
また、図１２（ｂ）は、変形例３と同じ形の切込み１３０３ｂの内壁に遮光層１３０８ｂを薄く形成した例である。
【００７０】
また、図１２（ｃ）は、変形例３と同じ形の切込み１３０３ｃの内壁の下部以外に遮光層１３０８ｃを薄く形成した例であり、切込み１３０３ｃ内部の青色表示部１０４Ｂから出る光線１３０２ｃは遮光膜１３０８ｃで吸収され、切込み１３０３ｃ内部の赤色表示部１０４Ｒから出る光線１３０１ｃは屈折透過する。
【００７１】
また、図１２（ｄ）は、幅がブラックマトリクス１０５の幅よりも小さく、形も長方形状である切込み１３０３ｄに、遮光層１３０８ｄを充填した例であり、このように、遮光層を形成する場合は、切込みの形状も自由に決めることができる。
【００７２】
以上、本実施例においては、切込みに遮光層を形成して画素同士の色の混ざり合いを軽減し、再生立体映像の画質を改善することができる。
【実施例３】
【００７３】
以下、図１３を用いて、本発明の実施例３について説明する。本実施例は、切込みに光を反射する反射層を形成する例である。
【００７４】
図１３は、本実施例における立体映像表示装置の映像表示部を表す概略図である。図１３（ａ）は、変形例３と同じ形の切込み１４０３ａに反射層１４０９ａを充填した例である。
【００７５】
また、図１３（ｂ）は、変形例３と同じ形の切込み１４０３ｂの内壁に反射層１４０９ｂを薄く形成し、さらに、遮光層１４０８ｂを薄く形成した例であり、拡散板１０２内部から切込み１４０３ｂの斜辺に入射する光線は反射し、切込み１４０３ｂの内部の光線は吸収する。
【００７６】
また、図１３（ｃ）は、変形３と同じ形の切込み１４０３ｃの内壁の下部以外に反射層１４０９ｃを薄く形成し、さらに、遮光層１４０８ｃを薄く形成した例であり、切込み１４０３ｃ内部の青色表示部１０４Ｂから出る光線１４０２ｃは、遮光膜１４０８ｃで吸収され、切込み１４０３ｃ内部の赤色表示部１０４Ｒから出る光線１４０１ｃは、屈折透過する。
【００７７】
また、図１３（ｄ）は、幅がブラックマトリクス１０５の幅よりも小さく、形も長方形状である切込み１４０３ｄに反射層１３０８ｄを充填した例であり、このように、反射層を形成する場合は、切込みの形状も自由に決めることができる。
【００７８】
以上、本実施例においては、切込みに反射層を形成して画素同士の色の混ざり合いを軽減し、再生立体映像の画質を改善することができる。
【００７９】
本発明の各実施例によれば、ディスプレイとレンズシートの間に、画素間のブラックマトリクスに沿った切込みを入れた拡散板を設置することで、ブラックマトリクスや色分離が目立たないようにしながら、隣接する画素同士の色が混じり合うことによる再生立体映像の色のにじみも改善することができる。
【図面の簡単な説明】
【００８０】
【図１】本発明の実施例１での立体映像表示装置における映像表示部の概略図
【図２】ディスプレイの画素やブラックマトリクスの配置を説明する平面図
【図３】本発明に係る拡散板内部を通る光線を説明する概略図
【図４】本発明に係る切込みの角度や長さを説明する図２のＸ−Ｘ’断面図
【図５】ディスプレイの視野角を説明する概略図
【図６】本発明に係る切込みの角度や長さを説明する図２のＹ−Ｙ’断面図
【図７】本発明に係る拡散板の切込み同士の関係を表す平面図
【図８】実施例１の変形例１での立体映像表示装置における映像表示部の概略図
【図９】実施例１の変形例２での立体映像表示装置における映像表示部の概略図
【図１０】実施例１の変形例３での立体映像表示装置における映像表示部の概略図
【図１１】実施例１の変形例４での立体映像表示装置における映像表示部の概略図
【図１２】本発明の実施例２での立体映像表示装置における映像表示部の概略図
【図１３】本発明の実施例３での立体映像表示装置における映像表示部の概略図
【図１４】従来の立体映像表示装置とその映像表示部の概略図
【図１５】従来の立体映像表示装置の概略図
【図１６】従来の立体映像表示装置における映像表示部の概略図
【符号の説明】
【００８１】
１０１…レンズシート、１０２…拡散板、
１０３、７０３、９０３、１００３、１１０３ａ、１１０３ｂ、１２０３ａ、１２０３ｂ、１３０３ａ、１３０３ｂ、１３０３ｃ、１３０３ｄ、１４０３ａ、１４０３ｂ、
１４０３ｃ、１４０３ｄ…切込み、
１０４Ｒ、１０４Ｒａ、１０４Ｒｂ、１０４Ｒｃ、１０４Ｒｄ、１０４Ｒｅ…赤色表示部、
１０４Ｇ、１０４Ｇａ、１０４Ｇｂ、１０４Ｇｃ、１０４Ｇｄ、１０４Ｇｅ…緑色表示部、
１０４Ｂ、１０４Ｂａ、１０４Ｂｂ、１０４Ｂｃ、１０４Ｂｄ、１０４Ｂｅ…青色表示部、
１０５…ブラックマトリクス、１０６…ディスプレイ、
１０７、１０７ａ、１０７ｂ、１０７ｃ、１０７ｄ、１０７ｅ…画素、
１０８、３０８、４０１、５０１、５０２、９０８、９０９、１００８、１００９、
１１０７、１１０８、１１０９、１２０７、１２０８、１２０９、１３０１ｃ、
１３０２ｃ、１４０１ｃ、１４０２ｃ…光線、
５０３…拡散方向、
１３０８ａ、１３０８ｂ、１３０８ｃ、１３０８ｄ、１４０８ｂ、１４０８ｃ…遮光層、
１４０９ａ、１４０９ｂ、１４０９ｃ、１４０９ｄ…反射層、
１５０１…観察者、１５０２…再生光源、１５０３…立体視野角、
１５０４…立体視用画像生成装置
【図１】
2006215337.tif 000011
【図２】
2006215337.tif 000012
【図３】
2006215337.tif 000013
【図４】
2006215337.tif 000014
【図５】
2006215337.tif 000015
【図６】
2006215337.tif 000016
【図８】
2006215337.tif 000017
【図９】
2006215337.tif 000018
【図１０】
2006215337.tif 000019
【図１１】
2006215337.tif 000020
【図１２】
2006215337.tif 000021
【図１３】
2006215337.tif 000022
【図１４】
2006215337.tif 000023
【図１５】
2006215337.tif 000024
【図１６】
2006215337.tif 000025
【図７】
2006215337.tif 000026